(57)【要約】本発明は、光記憶媒体を複数格納した媒体格納部と、光記憶媒体に対して情報の再生を行う情報再生部と、媒体格納部と情報再生部との相互間で光記憶媒体を移動させる媒体移動部とを筐体内に内蔵し、高記憶容量化と装置サイズのコンパクト化が図られた光情報記憶装置において、媒体格納部に格納された光記憶媒体のクリーニングを簡易な構成で適切に行うことができる光情報記憶装置、および複数の光情報記憶装置を統合してなる光情報記憶システムを提供することを目的とする。媒体移動部１５が光記憶媒体１３を移動させる経路上に、光記憶媒体１３上の不要物を取り除くクリーニング部を配置する。光記憶媒体１３が媒体格納部１２から情報再生部１６に移動される間に、光記憶媒体１３上の不要物が取り除かれ、情報再生部１６に不要物が混入する不具合を未然に防ぐことができる。
2004107337.tif 000002
【特許請求の範囲】
【請求項１】
箱状の筐体と、
前記筐体内の一端に配置され、光によって少なくとも情報再生が行われるディスク状の光記憶媒体が複数格納された媒体格納部と、
前記筐体内に前記媒体格納部から距離を置いて配置された、前記光記憶媒体に対して情報の再生を行う情報再生部と、
前記媒体格納部と前記情報再生部との間に配置された、該媒体格納部と該情報再生部との相互間で前記光記憶媒体を移動させる媒体移動部と、
前記媒体移動部が前記光記憶媒体を移動させる経路上に配置された、該光記憶媒体上の不要物を取り除くクリーニング部とを備えたことを特徴とする光情報記憶装置。
【請求項２】
前記媒体格納部は、光記憶媒体が相互に隙間をあけて並べて格納されたものであるとともに、該隙間に、前記光記憶媒体が出し入れされる際に該光記憶媒体に接触して該光記憶媒体上の不要物を払拭するクリーニング部材が配置された、前記クリーニング部を兼用するものであることを特徴とする請求項１記載の光情報記憶装置。
【請求項３】
前記媒体移動部は、前記光記憶媒体を移動させる際に該光記憶媒体と接触して該光記憶媒体上の不要物を払拭するクリーニング部材を備えた、前記クリーニング部を兼用するものであることを特徴とする請求項１記載の光情報記憶装置。
【請求項４】
前記クリーニング部材が、シートであることを特徴とする請求項２あるいは請求項３記載の光情報記憶装置。
【請求項５】
前記クリーニング部材が、ブラシであることを特徴とする請求項２あるいは請求項３記載の光情報記憶装置。
【請求項６】
前記媒体格納部は、前記筐体の一端に着脱可能に配置されるものであり、
前記筐体は、前記媒体格納部、前記媒体移動部、および前記情報再生部が内部に一列に配置され、それら媒体格納部、媒体移動部、および情報再生部と、前記クリーニング部とを一体に保持するものであり、
この光情報記憶装置が複数実装されるシステム筐体に、この光情報記憶装置を着脱自在に接続する接続部をさらに備えたことを特徴とする請求項１記載の光情報記憶装置。
【請求項７】
箱状の筐体と、前記筐体内の一端に配置され、光によって少なくとも情報再生が行われるディスク状の光記憶媒体が複数格納された媒体格納部と、前記筐体内に前記媒体格納部から距離を置いて配置された、前記光記憶媒体に対して情報の再生を行う情報再生部と、前記媒体格納部と前記情報再生部との間に配置された、該媒体格納部と該情報再生部との相互間で前記光記憶媒体を移動させる媒体移動部と、前記媒体移動部が前記光記憶媒体を移動させる経路上に配置された、該光記憶媒体上の不要物を取り除くクリーニング部とを備えた複数の光情報記憶装置と、
前記複数の光情報記憶装置が着脱自在に実装されたシステム筐体と、
前記システム筐体に実装された複数の光情報記憶装置それぞれにおける情報の記録及び又は再生を統括する統括部とを備えたことを特徴とする光情報記憶システム。
【発明の詳細な説明】
【技術分野】  本発明は、光によって少なくとも情報再生が行われる光記憶媒体に対して情報の再生を行うとともに、光記憶媒体のクリーニングも行う光情報記憶装置、および複数の光情報記憶装置を統合してなる光情報記憶システムに関する。
【背景技術】  インターネット等に代表される通信網上を伝達される、取引情報やホームページのデータなどというようなデータの量は、近年における情報通信産業の急激な発達に鑑みると、近い将来に爆発的に増大することが予測されている。また、通信網上では、ウィルス問題や犯罪などが増加の一途を辿っており、インターネット等においてログ記録などが義務付けられつつある。このような現状および将来予測に対し、情報記憶装置の大容量化が強く求められているが、情報の高速な読み書きが可能な大容量の情報記憶装置の一種であるハードディスクは、増設に多大な費用を要するため、現状は、ハードディスクの容量を超えた情報は、やむを得ず捨てられている状況にある。また、大容量の情報記憶装置の一種である磁気テープ記憶装置は、ハードディスクを越える大容量を低コストで実現することができるが、磁気テープが、情報をシーケンシャルに読み書きするシーケンシャルメディアであるため、情報の入出力速度に難があり、情報の長期保管用としての用途にのみ利用されているのが現状である。
近い将来に予想されているデータ量の爆発的な増大に対処するためには、大量のデータを単に保管するだけでは足りず、例えば、販売情報などといった多量の情報から消費の傾向などを見つけだすデータマイニングの分野や、原子物理学関連における実験データ分析の分野や、指紋・ＤＮＡ情報を使った照合技術の分野や、特許情報検索の分野や、銀行・証券分野や、電子カルテの分野や、ＩＤＣ（Ｉｎｔｅｒｎｅｔ  Ｄａｔａ  Ｃｅｎｔｅｒ）の分野などでは、高度な検索性などを担保するため、ペタバイト級の情報量蓄積と数秒以内の高速アクセス（いわゆるニアラインアクセス）とを安価に両立させることが望まれている。
これらの欠点を有するハードディスクや磁気テープに対し、ＭＯやＤＶＤなどに代表される光記憶媒体を用いて情報を記憶する光情報記憶装置は、情報の高速な読み書きが可能であるし、青色レーザダイオードや表面記録方式の開発などといった技術革新によって近い将来に飛躍的な大容量化が期待でき、磁気テープ記憶装置に匹敵する記憶容量の実現も期待されているため、高速かつ大容量の次世代記憶装置として注目されている。
さらに、最新の技術としては、複数個の光記憶媒体を格納するマガジンと、光記憶媒体に対して情報の読み書きを行うドライブと、マガジンとドライブとの間で光記憶媒体を移動させるチェンジャとが筐体内にコンパクトに納められた光情報記憶装置が考案されている（以下では、このような光情報記憶装置を多媒体記憶装置と称する）。このような多媒体記憶装置を用いることにより、光記憶媒体を増やすことや多媒体記憶装置を複数並べることによって容易に容量を拡張することができ、筐体内に配置されたマガジンや光記憶媒体の着脱や交換によってメンテナンスを容易に行うこともできる。
ところで、通常は、ヘッドから光を照射して光記憶媒体に情報を記録したり、光記憶媒体上で反射された反射光をヘッドで受光して、その反射光を基に光記憶媒体に記録されている情報を再生することが行われている。したがって、ヘッドに塵などのゴミやタバコのタールなどの汚れが付着している場合、正しく情報を読み書きすることができず、光情報記憶装置の性能を劣化させてしまう恐れがある。
この問題を解決する方法として、光情報記憶装置にクリーニング用媒体を装着してヘッドを直接クリーニングする方法（例えば、特許文献１、特許文献２、特許文献３、特許文献４、および特許文献５参照）や、記録再生用のドライブとは別に設けられたクリーニング用ドライブなどで光記憶媒体をクリーニングし、記録再生用のドライブ内に不要物が持ち込まれるのを未然に防ぐ方法（例えば、特許文献３、特許文献４、および特許文献６参照）などが考案されている。
【特許文献１】        特開２０００−９３１２１号公報
【特許文献２】        特開平５−５４５１３号公報
【特許文献３】        特開平５−７４１２７号公報
【特許文献４】        特開平５−１１４１５５号公報
【特許文献５】        特開平７−２３５１２０号公報
【特許文献６】        特開平１１−４５４８９号公報
しかし、クリーニング用媒体を用いたクリーニング方法においては、ドライブ内でクリーニング用媒体が回転されるために塵や埃が撒き散らかされたり、クリーニングが繰り返し行われることによってクリーニング用媒体自体が汚れてしまい、不要物がヘッドに再付着してしまう恐れがある。また、複数の光記憶媒体が格納された多媒体記憶装置に適用する場合、搭載するクリーニング用媒体の分だけ、格納することができる光記憶媒体の数が減り、多媒体記憶装置全体の記憶容量が減少してしまうという問題もある。
これらの問題は、上述したクリーニング用ドライブを使って光記憶媒体をクリーニングし、記録再生用のドライブ内に不要物が持ち込まれるのを未然に防ぐことによって解消されるが、この方法によると、記録再生用ドライブのほかに、さらにクリーニング用ドライブを設ける必要があり、装置の大型化と複雑化を伴うという問題がある。
また、上述したどちらの方法においても、例えばオペレータがクリーニングの開始を指示したり、ヘッドや光記憶媒体などの汚れを検知してクリーニングを指示するなどというような、クリーニングを行うための明示的な動作や複雑な機構が必要となったり、クリーニングの頻度を高めればヘッドを清浄に保つことができるが、反面、クリーニングに時間が割かれて、記憶装置としての本来の動作を行う時間が減少してしまうなどという不都合があり、より簡易な機構で適切にクリーニングを行うことができる光情報記憶装置の開発が望まれている。
【発明の開示】
本発明は、上記事情に鑑み、構成要素および複数の光記憶媒体が筐体内に内蔵された光情報記憶装置において、簡易な機構で適切にクリーニングを行うことができる光情報記憶装置、および複数の光情報記憶装置を統合してなる光情報記憶システムを提供することを目的とする。
上記目的を達成する本発明の光情報記憶装置は、箱状の筐体と、
筐体内の一端に配置され、光によって少なくとも情報再生が行われるディスク状の光記憶媒体が複数格納された媒体格納部と、
筐体内に媒体格納部から距離を置いて配置された、光記憶媒体に対して情報の再生を行う情報再生部と、
媒体格納部と情報再生部との間に配置された、媒体格納部と情報再生部との相互間で光記憶媒体を移動させる媒体移動部と、
媒体移動部が光記憶媒体を移動させる経路上に配置された、光記憶媒体上の不要物を取り除くクリーニング部とを備えたことを特徴とする。
このような本発明の光情報記憶装置によれば、光記憶媒体が情報再生部に装填される前に、光記憶媒体に付着した不要物が取り除かれるため、情報再生部に不要物が混入する不具合を未然に防ぐことができる。また、本発明の光情報記憶装置によれば、光記憶媒体をクリーニングするためのクリーニング用ドライブを備える必要がないため、装置の大型化を抑えることができるうえ、クリーニング頻度は高いが、記憶装置としての動作時間に影響を及ぼさない。
また、本発明の光情報記憶装置において、上記の媒体格納部は、光記憶媒体が相互に隙間をあけて並べて格納されたものであるとともに、その隙間に、光記憶媒体が出し入れされる際に光記憶媒体に接触して光記憶媒体上の不要物を払拭するクリーニング部材が配置された、上記のクリーニング部を兼用するものであるという形態は好適な一形態である。
例えばシートなどのようなクリーニング部材を上記のように配置することによって、光記憶媒体が媒体格納部から出し入れされる度に、クリーニング部材によって光記憶媒体上の不要物が払拭される。したがって、クリーニングを行うための明示的な動作や複雑な機構を必要とせず、簡易な機構で自動的にクリーニングを行うことができる。
また、本発明の光情報記憶装置において、上記の媒体移動部が、光記憶媒体を移動させる際に光記憶媒体と接触して光記憶媒体上の不要物を払拭するクリーニング部材を備えた、上記のクリーニング部を兼用するものであるという形態も好適な一形態である。
上記のような媒体移動部を備えることにより、光記憶媒体が媒体格納部と情報再生部との相互間で移動されるたびに、クリーニング部材によって光記憶媒体上の不要物が払拭される。
また、本発明の光情報記憶装置において、上記のクリーニング部材が、シートであるという形態は好適である。
このようなクリーニング部材を適用することにより、光記憶媒体に付着したゴミを絡め取るとともに、汚れを拭き取ることができる。
また、本発明の光情報記憶装置において、上記のクリーニング部材が、ブラシであるという形態も好適である。
クリーニング部材としてブラシを適用することにより、筐体内に溜まりやすい綿埃や毛髪等のゴミを掃き取ることができる。
さらに、本発明の光情報記憶装置が、
上記媒体格納部は、筐体の一端に着脱可能に配置されるものであり、
上記筐体は、媒体格納部、媒体移動部、および情報再生部が内部に一列に配置され、それら媒体格納部、媒体移動部、および情報再生部と、クリーニング部とを一体に保持するものであり、
この光情報記憶装置が複数実装されるシステム筐体に、この光情報記憶装置を着脱自在に接続する接続部をさらに備えたものであることが好ましい。
このような本発明の光情報記憶装置によれば、筐体内に媒体格納部と情報再生部と媒体移動部がコンパクトに納められており、光記憶媒体を増やすことや光情報記憶装置を複数並べることによって容易に容量を拡張することができ、筐体内の一端に配置された媒体格納部や光記憶媒体の着脱や交換によってメンテナンスを容易に行うこともできる。
さらに、本発明の光情報記憶システムは、箱状の筐体と、筐体内の一端に配置され、光によって少なくとも情報再生が行われるディスク状の光記憶媒体が複数格納された媒体格納部と、筐体内に媒体格納部から距離を置いて配置された、光記憶媒体に対して情報の再生を行う情報再生部と、媒体格納部と情報再生部との間に配置された、媒体格納部と情報再生部との相互間で光記憶媒体を移動させる媒体移動部と、媒体移動部が光記憶媒体を移動させる経路上に配置された、光記憶媒体上の不要物を取り除くクリーニング部とを備えた複数の光情報記憶装置と、
複数の光情報記憶装置が着脱自在に実装されたシステム筐体と、
システム筐体に実装された複数の光情報記憶装置それぞれにおける情報の記録及び又は再生を統括する統括部とを備えたことを特徴とする。
このような本発明の光情報記憶システムによれば、筐体内に媒体格納部と記録再生部と媒体移動部がコンパクトに納められた光情報記憶装置を複数備えており、コンパクトで大容量の記憶システムを構築することができ、さらに、それら光情報記憶装置それぞれに格納された光記憶媒体を、簡易な機構で適切にクリーニングすることができる。また、光記憶媒体や光情報記憶装置を増やすことによって容易に容量を拡張することができ、媒体格納部や光情報記憶装置の着脱や交換によってメンテナンスを容易に行うこともできる。
【図面の簡単な説明】  図１は、本発明の光情報記憶システムおよび光情報記憶装置の各実施形態を示す外観図である。
図２は、ブレード装置のハードウェア構造を表す図である。
図３は、ブレードの機能構造を表す機能ブロック図である。
図４は、マガジンの内部構造を表す図である。
図５は、ドライブのヘッド近辺の構造を表す図である。
図６は、ＭＯディスクに情報を読み書きする一連の処理を表すフローチャートである。
図７は、マガジンからＭＯディスクを取り出すときの、ＭＯディスクおよびシートを示す図である。
図８は、本発明の第２実施形態におけるマガジンの内部を示す図である。
図９は、本発明の第３実施形態におけるマガジンの内部を示す図である。
図１０は、本発明の第４実施形態におけるブレード装置のハードウェア構造を表す図である。
【発明を実施するための最良の形態】  以下、本発明の実施形態について説明する。
図１は、本発明の光情報記憶システムおよび光情報記憶装置の各実施形態を示す外観図である。
この図１には、本発明にいう光記憶媒体の一例として光磁気（ＭＯ）ディスクを用いる、本発明の光情報記憶装置の一実施形態に相当するブレード装置１０と、複数（この図では１０台）のブレード装置１０が組み込まれた、本発明の光情報記憶システムの一実施形態に相当する集合システム２０が示されている。
ブレード装置１０の筐体１１は、ＭＯディスクの直径の２．５倍を越す長さと、ＭＯディスクの直径よりもやや大きい幅（この図では高さ）と、ＭＯディスクの直径よりも大幅に小さい厚み（この図では幅）とを有しており、この筐体１１の一端には、ＭＯディスクが複数枚格納されたマガジン１２が着脱自在に配置されている。筐体１１は、本発明にいう筐体の一例にあたり、マガジン１２は、本発明にいう媒体格納部の一例に相当する。
集合システム２０の筐体２１には、複数のブレード装置１０が抜き差し自在に実装されており、各ブレード装置１０のマガジン１２は、ブレード装置１０が集合システム２０の筐体２１に差し込まれた状態でも着脱自在となっている。また、集合システム２０には、複数のブレード装置１０それぞれにおける情報の記録及び再生を統括する制御装置２２も備えられている。
このような集合システム２０は、筐体２１に複数のブレード装置１０がコンパクトに収まっており、コンパクトで大容量の記憶システムとなっている。また、ＭＯディスクやブレード装置１０を増やすことによって容易に容量を拡張することができ、マガジン１２やブレード装置１０の着脱や交換によってメンテナンスを容易に行うこともできる。
図２は、ブレード装置のハードウェア構造を表す図である。
図１にも示したブレード装置１０は、筐体１１内に、上述したマガジン１２と、ＭＯディスク１３に対して情報記録及び情報再生を行うドライブ１６とを備えており、マガジン１２とドライブ１６との間には、それらの相互間でＭＯディスク１３を移動させるチェンジャ１５を備えている。ドライブ１６は、本発明にいう情報再生部の一例に相当し、チェンジャ１５は、本発明にいう媒体移動部の一例に相当する。
ブレード装置１０の、マガジン１２とは逆の一端には、ブレード装置１０と外部とのデータ移送を担うインターフェースのコネクタ１７ａが備えられており、ブレード装置１０が、図１に示す集合システム２０の筐体２１に差し込まれると、このコネクタ１７ａは集合システム２０側のコネクタと接合する。このコネクタ１７ａは、本発明にいう接続部の一例に相当する。
図３は、ブレードの機能構造を表す機能ブロック図である。
上述したように、ブレード装置１０は、マガジン１２とチェンジャ１５とドライブ１６とを備えており、更に、チェンジャ１５やドライブ１６を制御する制御部１８と、図２に示すコネクタ１７ａに相当し、ブレード装置１０と外部とのデータ移送を担うインターフェース１７も備えられている。このインターフェース１７は、ＩＥＥＥ１３９４、ＵＳＢ、シリアルＡＴＡなどといった周知の高速なシリアル系インターフェースのなかから選択されたものであり、詳細については説明を省略する。
ドライブ１６には、ＭＯディスク１３を保持して回転させるスピンドルモータ１６ａと、ＭＯディスク１３に対してレーザ光を照射して情報の記録や再生を行うヘッド１６ｂが備えられており、ヘッド１６ｂは、ＭＯディスクの第１面（表面）と第２面（裏面）それぞれ用に２つ備えられている。また、ドライブ１６には、第１面と第２面それぞれ用のリードライトチャネル１６ｃと、バッファとして機能するファーストイン・ファーストアウト（ＦＩＦＯ）メモリ１６ｄも備えられている。
また、マガジン１２には、格納されているＭＯディスク１３のディスク番号や、ＭＯディスク１３が格納されているアドレス情報などが記憶されたＦＲＡＭ１４が備えられている。
制御部１８は、インターフェース１７を介した、図示を省略した経路によって装置外からＭＯディスクを指定する固有情報を指定されると、ＦＲＡＭ１４に記憶された情報に基づいて、固有情報が示すＭＯディスク１３を見つけて、その見つけたＭＯディスク１３をチェンジャ１５に指示する。チェンジャ１５は、制御部１８から指定されたＭＯディスク１３をマガジン１２から取り出してドライブ１６に装填する。
また、ブレード装置１０には、ブレード装置１０外からＦＲＡＭ１４に、制御部１８を迂回して直接にアクセスするためのアクセス経路１９が設けられており、ブレード装置１０の電源が切れている場合であっても、このアクセス経路１９を介してＦＲＡＭ１４に記憶されている情報を外部から確認することができる。
ブレード装置１０は、基本的には以上のようにして、図１に示す集合システム２０と接続している。
続いて、ブレード装置１０を構成する構成要素の詳細について説明する。
図４は、マガジン１２の内部構造を表す図である。
図２および図３にも示すマガジン１２には、複数のＭＯディスク１３を保持するための複数のガイド突起１２ａが設けられており、各ガイド突起１２ａの片面には、不織布で構成されたシート４０が貼り付けられている。ＭＯディスク１３は、各ガイド突起上に１枚ずつ配置されることによって、相互に隙間をあけて並べて格納されており、各ＭＯディスク１３の片面（この例では裏面）はシート４０と接触している。マガジン１２は、本発明にいう媒体格納部の一例に相当するとともに、本発明にいうクリーニング部の一例も兼用する。また、シート４０は、本発明にいうクリーニング部材の一例にあたるとともに、本発明にいうシートの一例に相当する。
図２および図３に示すチェンジャ１５は、ＭＯディスク１３をマガジン１２に対して抜き差しする機能、ＭＯディスク１３を図の上下方向に移動させる機能、ＭＯディスク１３をドライブ１６に対して装填し開放する機能を有している。
図５は、ドライブのヘッド近辺の構造を表す図である。
図２および図３にも示すドライブ１６には、２つのヘッド１６ｂが備えられており、この図５には、それら２つのヘッド１６ｂ近辺の構造が示されている。２つのヘッド１６ｂは、スピンドルモータ１６ａによって保持されて回転されるＭＯディスク１３を挟んで配置されており、各ヘッド１６ｂは、レーザダイオードや光検知素子や各種の光学素子などを内蔵し、記録再生用のレーザ光の発生と後述する各種信号の検知とを担う固定アセンブリ３２と、所定のレール上を移動してＭＯディスク１３の所望の位置にレーザ光を照射し、ＭＯディスク１３によって反射された光を固定アセンブリ３２へと返す移動アセンブリ（キャリッジ）３１と、図５の各要素を制御する制御部（図示しない）とで構成されている。更に、移動アセンブリ３１は、キャリッジベース３３と、レーザ光を反射する立ち上げミラー３４と、レーザ光をＭＯディスク１３上に集光する集光レンズ３５と、集光レンズ３５を動かすレンズアクチュエータ３６を備えている。
ここで、ブレード装置１０を構成する構成要素の説明から一旦離れ、固定アセンブリ３２で検知される各種信号について説明する。
固定アセンブリ３２には、図示しないが、ビームスプリッタやプリズムが内蔵されており、固定アセンブリ３２では、ＭＯディスク１３によって反射された反射光が、フォーカス制御用、トラック制御用、およびＭＯ信号用の３つの光に分光される。
フォーカス制御用の光は、集光レンズ３５とＭＯディスク１３との距離を一定に保つフォーカス制御に使用される。ＭＯディスク１３は、スピンドルモータ１６ａによって高速に回転されるため、集光レンズ３５との間の距離が変動しやすい。集光レンズ３５とＭＯディスク１３との間の距離が合焦距離からずれてしまうと、集光レンズ３５において集光されたレーザ光が、ＭＯディスク１３上の所望の位置以外にも照射され、情報を正しく読み書きできないという不具合が生じる。固定アセンブリ３２では、フォーカス制御用の光から、ＭＯディスク１３と集光レンズ３５との間の距離が合焦距離からどれだけずれているかを表す信号（ＦＥＳ：フォーカスエラーシグナル）が検知され、集光レンズ３５のレンズアクチュエータ３６では、そのＦＥＳに従って集光レンズ３５の位置が修正される。
トラック制御用の光は、集光レンズ３５で集光したレーザ光の位置を、ＭＯディスク１３上の情報を読み書きする位置に移動させて維持するトラック制御に使用される光である。フォーカス制御が、集光レンズ３５の高さ方向の位置を制御する動作であるのに対し、トラック制御は、集光レンズ３５の横方向の位置を制御する動作である。例えば、ＭＯディスク１３が高速回転されることにより、ＭＯディスク１３が左右にぶれるなどして、ビーム光がＭＯディスク１３上のトラックの中心に集光されていない場合、ＭＯディスク１３上の誤った位置に情報を読み書きしてしまう恐れがある。このような不具合を防ぐため、トラック制御用の光から、集光レンズ３５で集光されたレーザ光の位置とＭＯディスク１３上のトラックの中心との誤差を表す信号（ＴＥＳ：トラックエラーシグナル）が検知され、レンズアクチュエータ３６において、ＴＥＳに従って集光レンズ３５の位置が修正される。
ＭＯ信号用の光からは、ＭＯディスク１３に読み書きされる情報を表すＭＯ信号が検知される。このＭＯ信号を基に、ＭＯディスク１３に記録された情報が読み取られる。
ここで、図５に示すドライブ１６の、特に集光レンズ３５付近にゴミや汚れ等が付着すると、ＭＯディスク１３からの反射光を十分に受光することができなくなり、上述したフォーカス制御やトラック制御を正しく行うことができなくなってしまったり、ＭＯディスク１３に情報を読み書きすることができなくなる恐れがある。
図６は、本実施形態のブレード装置において、ＭＯディスクに情報を読み書きする一連の処理を表すフローチャートである。以下では、この図６のフローチャートを使って、ＭＯディスク１３に付着した不要物をクリーニングしてからＭＯディスク１３に情報を読み書きする一連の処理について説明する。
図２および図４に示すマガジン１２に格納されたＭＯディスク１３は、チェンジャ１５によって、マガジン１２から取り出される。
図７は、マガジンからＭＯディスクを取り出すときの、ＭＯディスクおよびシートを示す図である。
図４にも示すように、マガジン１２に格納されたＭＯディスク１３は、その片面がシート４０と接触している。チェンジャ１５は、ＭＯディスク１３とシート４０とを接触させたまま、ＭＯディスク１３をドライブ１６へ向けて移動させる。このとき、ＭＯディスク１３上の、シート４０と接触した面に付着した不要物が払拭される（図６のステップＳ１）。
ＭＯディスク１３はそのままドライブ１６まで運ばれて、ドライブ１６に装着される。装着されたＭＯディスク１３は、あらかじめ不要物が取り除かれており、ドライブ１６の内部に不要物が入り込む不具合の防止が図られている。ドライブ１６に装着されたＭＯディスク１３は、図５のスピンドルモータ１６ａによって保持されて回転される。
ＭＯディスク１３が回転されると、固定アセンブリ３２ではレーザ光が発生され、そのレーザ光は移動アセンブリ３１の集光レンズ３５において、ディスク上の所定の位置に集光される（図６のステップＳ２）。
集光レンズ３５で集光されたレーザ光は、ディスク上で反射され、その反射光は移動アセンブリ３１から固定アセンブリ３２に伝えられる。固定アセンブリ３２では、伝えられてきた反射光が、フォーカス制御用、トラック制御用、およびＭＯ信号用の光に分光され、さらに、これらの光からＦＥＳ、ＴＥＳ、およびＭＯ信号が検出される。
上記の信号の検出は、ＭＯディスク１３が回転している間、一定時間ごとに継続的に行われる。まず、これらの信号のうちＦＥＳを使って、上述した一連のフォーカス制御が行われ（図６のステップＳ３）、図５の集光レンズ３５とＭＯディスク１３との間の距離が一定値に保たれる。
続いて、検出された信号のうちＴＥＳを使って、上述したトラック制御が行われ（図６のステップＳ４）、ＭＯディスク１３上のトラックの中心に、図５の集光レンズ３５によって集光されたビーム光が追従される。
フォーカス制御およびトラック制御が行われると、その状態において検出されたＭＯ信号を基に、ＭＯディスク１３に対して情報の読み書きが行われる（ステップＳ５）。このような一連の動作により、ＭＯディスク１３に対して正しく情報を読み書きすることができる。
このように、本実施形態のブレード装置においては、ＭＯディスク１３がマガジン１２から取り出されるたびに、ＭＯディスク１３に付着した不要物が払拭されるため、クリーニングのための明示的な動作や複雑な機構を必要とせず、簡易な機構で適切にクリーニングを行うことができる。
尚、ここでは、マガジン１２にＭＯディスク１３のみが格納された例について説明したが、ドライブ１６に装着されて回転されることによってヘッド１６ｂをクリーニングする、従来のクリーニング用ディスクをＭＯディスク１３といっしょにマガジン１２に格納してもよい。このようにクリーニング用ディスクをマガジン１２に格納しておくことにより、ヘッド１６ｂを直接クリーニングしてヘッド１６ｂをさらに清浄に保つことができるうえ、クリーニング用ディスクに付着した汚れはシート４０によって取り除かれるため、クリーニング用ディスクを繰り返し使用することができる。
以上で、本発明の第１実施形態の説明を終了し、次に、本発明の第２実施形態について説明する。重複を避けるため、以下では、第１実施形態と同じ構成を有する要素には同じ符号を付して、第１実施形態との相違点に注目して説明する。
この第２実施形態は、図２に示す第１実施形態の構成と同様な構成を有するが、マガジン内部に貼り付けられているシートの位置が第１実施形態とは相違している。
図８は、本発明の第２実施形態におけるマガジンの内部を示す図である。
図８に示す第２実施形態のマガジン１２には、図４に示す第１実施形態と異なり、ガイド突起１２ａの片面だけでなく、ガイド突起１２ａの両面にシートが貼り付けられている。
図８に示す本実施形態のマガジン１２を、図２および図４に示す第１実施形態のマガジン１２と換えて適用することにより、例えば、ＭＯディスク１３をマガジン１２から取り出す際には、ＭＯディスク１３の上面をシート４１ａと接触させて移動させ、ＭＯディスク１３をマガジン１２に格納する際には、ＭＯディスク１３の下面をシート４１ｂと接触させて移動させるなどといった動作によって、ＭＯディスク１３の両面をクリーニングすることができる。
以上で本発明の第２実施形態の説明を終了し、本発明の第３実施形態について説明する。この第３実施形態は、図２に示す第１実施形態の構成と同様な構成を有するが、マガジン内部に貼り付けられているシートの位置が、第１実施形態および第２実施形態とは相違している。
図９は、本発明の第３実施形態におけるマガジンの内部を示す図である。
図９に示す第３実施形態のマガジン１２には、図４に示す第１実施形態および図８に示す第２実施形態とは異なり、ガイド突起１２ａの厚さとほぼ同じ厚さのシート４２が、ガイド突起１２ａから繋がるように貼り付けられている。
このような本実施形態のマガジン１２を、図２および図４に示すマガジン１２と換えて適用し、例えば、ＭＯディスク１３をマガジン１２から取り出す際には、ＭＯディスク１３の上面をシート４２と接触させて移動させ、ＭＯディスク１３をマガジン１２に格納する際には、ＭＯディスク１３の下面をシート４２と接触させて移動させることによって、少ないクリーニング部材で、ＭＯディスク１３の両面をクリーニングすることができる。
以上で本発明の第３実施形態の説明を終了し、本発明の第４実施形態について説明する。上述した第１、第２、および第３実施形態においては、クリーニング部材がマガジンの内部に貼り付けられていたが、本実施形態においては、クリーニング部材がチェンジャ上に取り付けられている。
図１０は、本発明の第４実施形態におけるブレード装置のハードウェア構造を表す図である。
図１０に示す、本実施形態のブレード装置１０は、図２に示す第１実施形態のブレード装置とほぼ同様な構成を有するが、本実施形態のブレード装置１０には、チェンジャ１５上にブラシ５０が備えられている。このチェンジャ１５は、本発明にいう媒体移動部の一例に相当するとともに、本発明にいうクリーニング部の一例も兼用する。また、ブラシ５０は、本発明にいうクリーニング部材の一例にあたるとともに、本発明にいうブラシの一例に相当する。
ブラシ５０は、チェンジャ１５上の、マガジン１２からＭＯディスク１３が取り出されたときにＭＯディスク１３と接触する位置に固定されている。チェンジャ１５は、マガジン１２からＭＯディスク１３を取り出すと、ＭＯディスク１３とブラシ５０とを接触させた状態で、そのままＭＯディスク１３を横方向に移動させてドライブ１６に運ぶ。このとき、ブラシ５０によってＭＯディスク１３に付着したゴミが掃き取られ、ドライブ１６にゴミが入り込む不具合が未然に防がれている。
このように、マガジンではなく、チェンジャにクリーニング部材を備えるものであってもよい。
以上で、本発明の実施形態についての説明を終了する。
なお、上記では、本発明にいう光記憶媒体の一例としてＭＯディスクが示されているが、本発明にいう光記憶媒体はＤＶＤなどであってもよい。
また、上記では、ＭＯディスクの両面に同時にアクセスすることができる光情報記憶装置について説明したが、本発明の光情報記憶装置は、光記憶媒体の片面にのみアクセスするものであってもよい。
また、上記では、本発明にいうクリーニング用部材として、不織布のシートやブラシが用いられる例が示されているが、本発明にいうクリーニング用部材は、例えば、スポンジなどでもよい。
さらに、上記では、本発明の光情報記憶装置におけるクリーニング部として、シートやブラシ等のクリーニング部材によって光記憶媒体上の不要物を払拭するクリーニング部が用いられる例が示されているが、本発明の光情報記憶装置におけるクリーニング部は、例えば、清浄な空気を噴出する空気噴出器を備え、光記憶媒体上の不要物を吹き飛ばすものであってもよい。
【図１】
2004107337.tif 000003
【図２】
2004107337.tif 000004
【図３】
2004107337.tif 000005
【図４】
2004107337.tif 000006
【図５】
2004107337.tif 000007
【図６】
2004107337.tif 000008
【図７】
2004107337.tif 000009
【図８】
2004107337.tif 000010
【図９】
2004107337.tif 000011
【図１０】
2004107337.tif 000012
【手続補正書】
【提出日】平成17年3月30日(2005.3.30)
【手続補正１】
【補正対象書類名】明細書
【補正対象項目名】特許請求の範囲
【補正方法】変更
【補正の内容】
【特許請求の範囲】
【請求項１】  箱状の筐体と、
前記筐体内の一端に配置され、光によって少なくとも情報再生が行われるディスク状の光記憶媒体が複数格納された媒体格納部と、
前記筐体内に前記媒体格納部から距離を置いて配置された、前記光記憶媒体に対して情報の再生を行う情報再生部と、
前記媒体格納部と前記情報再生部との間に配置された、該媒体格納部と該情報再生部との相互間で前記光記憶媒体を移動させる媒体移動部と、
前記媒体移動部が前記光記憶媒体を移動させる経路上に配置された、該光記憶媒体上の不要物を取り除くクリーニング部とを備えたことを特徴とする光情報記憶装置。
【請求項２】  前記媒体格納部は、光記憶媒体が相互に隙間をあけて並べて格納されたものであるとともに、該隙間に、前記光記憶媒体が出し入れされる際に該光記憶媒体に接触して該光記憶媒体上の不要物を払拭するクリーニング部材が配置された、前記クリーニング部を兼用するものであることを特徴とする請求項１記載の光情報記憶装置。
【請求項３】  前記媒体移動部は、前記光記憶媒体を移動させる際に該光記憶媒体と接触して該光記憶媒体上の不要物を払拭するクリーニング部材を備えた、前記クリーニング部を兼用するものであることを特徴とする請求項１記載の光情報記憶装置。
【請求項４】  前記媒体格納部は、前記筐体の一端に着脱可能に配置されるものであり、
前記筐体は、前記媒体格納部、前記媒体移動部、および前記情報再生部が内部に一列に配置され、それら媒体格納部、媒体移動部、および情報再生部と、前記クリーニング部とを一体に保持するものであり、
この光情報記憶装置が複数実装されるシステム筐体に、この光情報記憶装置を着脱自在に接続する接続部をさらに備えたことを特徴とする請求項１記載の光情報記憶装置。
【請求項５】  箱状の筐体と、前記筐体内の一端に配置され、光によって少なくとも情報再生が行われるディスク状の光記憶媒体が複数格納された媒体格納部と、前記筐体内に前記媒体格納部から距離を置いて配置された、前記光記憶媒体に対して情報の再生を行う情報再生部と、前記媒体格納部と前記情報再生部との間に配置された、該媒体格納部と該情報再生部との相互間で前記光記憶媒体を移動させる媒体移動部と、前記媒体移動部が前記光記憶媒体を移動させる経路上に配置された、該光記憶媒体上の不要物を取り除くクリーニング部とを備えた複数の光情報記憶装置と、
前記複数の光情報記憶装置が着脱自在に実装されたシステム筐体と、
前記システム筐体に実装された複数の光情報記憶装置それぞれにおける情報の記録及び又は再生を統括する統括部とを備えたことを特徴とする光情報記憶システム。
【国際調査報告】
2004107337.tif 000013
2004107337.tif 000014
2004107337.tif 000015